(57)【要約】【課題】高い強度を備えると共にゴミの除去作業や清掃作業の作業性を向上させたヘアーキャッチャーを提供する。【解決手段】外周枠部５で囲繞される部位にスリット３が同方向に並べるように穿設されて各スリット３間に桟部４が形成された一対の捕捉部材２を、上下に重複させて各捕捉部材２の桟部４同士が交差するように着脱自在にする。【選択図】図１
2009030329.tif 000002
【特許請求の範囲】
【請求項１】
外周枠部で囲繞される部位にスリットが同方向に並べるように穿設されて各スリット間に桟部が形成された一対の捕捉部材を、上下に重複させて各捕捉部材の桟部同士が交差するように着脱自在にして成ることを特徴とするヘアーキャッチャー。
【発明の詳細な説明】
【技術分野】
【０００１】
本発明は、ヘアーキャッチャーに関するものである。
【背景技術】
【０００２】
浴室などの排水口には、排水に含まれる毛髪などのゴミを捕捉するためにヘアーキャッチャー１が配設されている。ヘアーキャッチャー１は一般的には図３のような格子桟２０を備えた目皿状部材であり、ヘアーキャッチャー１に至った排水は格子桟２０間の排水孔部１５から流下されるのであるが、その際に排水に含まれる毛髪などのゴミは格子桟２０に絡みつくようにして効率よく捕捉される。この捕捉されたゴミは蓄積してくると格子桟２０間の排水孔部１５を塞いでヘアーキャッチャー１の排水性能を低下させることとなるから適宜取り除かねばならないのであるが、格子桟２０に絡みついたゴミは簡単には除去できないのであってゴミの除去作業は煩雑な作業となっている。したがって、たとえば特許文献１には、煩雑なゴミの除去作業の作業性を向上させる試みがなされている。
【０００３】
この特許文献１のヘアーキャッチャー１は、図４のように、縦桟部２１ａと横桟部２１ｂとで成るＬ字枠２１を備えると共に、上記縦桟部２１ａと横桟部２１ｂとにそれぞれ一端が自由端となった櫛歯２３を有した櫛歯部材２２を上下に回転自在に枢支してある。排水口にヘアーキャッチャー１を配置した際には、各櫛歯部材２２を上下に積層した状態にすると共に各櫛歯２３を平面視で交差する状態にして、この交差させた各櫛歯２３にてゴミを捕捉するようにし、そして、この捕捉したゴミを除去するには、排水口からヘアーキャッチャー１を取外し、各櫛歯部材２２をそれぞれ縦桟部２１ａ及び横桟部２１ｂに対して下方に回動させて各櫛歯２３の自由端を下方に向けた展開状態にし、各櫛歯２３に絡まるゴミをそれぞれ櫛歯２３の自由端側に引き出すことで、ゴミを容易に櫛歯２３から除去できるようにしている。
【０００４】
しかしながら、このヘアーキャッチャー１は自由端のある櫛歯部材２２の強度が弱く、誤って落下させたり、洗剤を用いて掃除をする際に強い力を入れたりすると、櫛歯２３が折れてしまうといった問題があった。
【０００５】
また、ゴミの除去作業やヘアーキャッチャー１の洗剤を用いての清掃作業は、排水口からヘアーキャッチャー１を取外して行われるのであるが、各櫛歯部材２２は縦桟部２１ａや横桟部２１ｂから自重にて下方へ垂れてしまうのであり、つまりヘアーキャッチャー１が扱いにくいためにその作業性は良好とは言えない。
【０００６】
更に言うと、ゴミを除去する際には各櫛歯部材２２はＬ字枠２１の縦桟部２１ａ及び横桟部２１ｂから下方に回動して櫛歯２３の自由端は下方に向くのであるが、このとき各櫛歯部材２２の櫛歯２３の並設方向は平面視でＬ字枠２１の縦桟部２１ａや横桟部２１ｂと同様に直交するのであり、ゴミを除去したり清掃したりするには、結局のところ各櫛歯部材２２を個別に清掃者側に向けるようにヘアーキャッチャー１の回転姿勢を変化させねばならなかったり、ゴミ除去中や清掃中の一の櫛歯部材２２に隣接する櫛歯部材２２がその作業を妨げることもあるのであり、ゴミの除去作業や清掃作業の作業性は良好とは言えないのであった。
【特許文献１】特開２００７−４６４２２号公報
【発明の開示】
【発明が解決しようとする課題】
【０００７】
本発明は上記の点に鑑みてなされたものであり、その目的とするところは、高い強度を備えると共にゴミの除去作業や清掃作業の作業性を向上させたヘアーキャッチャーを提供することを課題とするものである。
【課題を解決するための手段】
【０００８】
上記課題を解決するために請求項１に係るヘアーキャッチャーにあっては、外周枠部５で囲繞される部位にスリット３が同方向に並べるように穿設されて各スリット３間に桟部４が形成された一対の捕捉部材２を、上下に重複させて各捕捉部材２の桟部４同士が交差するように着脱自在にして成ることを特徴とする。
【０００９】
これによると、一対の捕捉部材２をその各桟部４同士が交差するように上下に重複して一体化させたヘアーキャッチャー１を排水口に配置して、各捕捉部材２の交差する桟部４によって排水口に流れ込む排水に含まれる毛髪等のゴミを絡め取るように効率よく捕捉させることができるのであり、そして、上記交差する桟部４にて捕捉したゴミをヘアーキャッチャー１から除去するには上記一体化された一対の捕捉部材２を分離させて行うのであるが、一対の捕捉部材２を分離させた際には交差する各桟部４に跨って強固に絡み付いたゴミは無くなって、つまりいずれかの捕捉部材２の桟部４に絡み付くようになるから、捕捉されたゴミを分離した各捕捉部材２ごとに比較的容易に除去できるのであり、ここで、ゴミが絡み付く捕捉部材２の桟部４は外周枠部５の対向部間に架設されたものであって、つまり従来例（図４）のヘアーキャッチャー１の櫛歯２３のように自由端のある形状ではないために比較的強い強度を備えるものであり、誤って捕捉部材２を落下させた場合や、ゴミを除去する際や洗剤などを用いて掃除をした際に力を入れた場合にも、捕捉部材２を破損させる恐れを小さくできたものであり、また、ヘアーキャッチャー１におけるゴミの除去作業や清掃作業は排水口からヘアーキャッチャー１を取り外した状態で行われるのであるが、上記一対の捕捉部材２が一体化されて成るヘアーキャッチャー１は、従来例（図４）のヘアーキャッチャー１のようにその一部に自重で落下する部材（櫛歯部材２２）を有したものではないために取り扱いが容易であり、またそもそも完全に分離させて開放空間にある各捕捉部材２に対してゴミの除去作業や清掃作業を支障なく行わせることができるのであり、これらの結果、ゴミの除去作業や清掃作業に良好な作業性を確保できたのである。
【発明の効果】
【００１０】
本発明にあっては、ヘアーキャッチャーに高い強度を備えると共に、ヘアーキャッチャーからのゴミの除去作業やヘアーキャッチャーの清掃作業に良好な作業性を確保できる、という利点を有する。
【発明を実施するための最良の形態】
【００１１】
以下、本発明を添付図面に示す実施形態に基いて説明する。
【００１２】
本例のヘアーキャッチャー１は、図１，２のように、外周枠部５で囲繞される部位にスリット３が同方向に並べるように穿設されて各スリット３間に桟部４が形成された一対の捕捉部材２によって構成されており、そして、この一対の捕捉部材２は上下に重複させて各捕捉部材２の桟部４同士が交差するように着脱自在にされている。
【００１３】
詳しくは、各捕捉部材２は円盤状の主体部６を有しており、この主体部６にその外縁を構成する外周枠部５や、複数のスリット３や桟部４が設けられている。なお、捕捉部材２に設けるスリット３や桟部４の長手方向は同一の捕捉部材２の中では同一の方向を向いて形成されているが、一対の捕捉部材２の間では互いに略直交する関係を有するように形成されている。具体的に本例では、平面視で図中矢印のように前後左右を規定した場合（矢印Ａ：前後方向、矢印Ｂ：左右方向）に、上下に重ねた状態で主体部６が上位置にある捕捉部材２（以下、上側捕捉部材２ａという）に設けたスリット３や桟部４の長手方向は左右方向と一致するように形成されており、上下に重ねた状態で主体部６が下位置にある捕捉部材２（以下、下側捕捉部材２ｂという）に設けたスリット３や桟部４の長手方向は前後方向と一致するように形成されている。
【００１４】
また、各捕捉部材２の主体部６の一端部には一対の捕捉部材２を着脱させる着脱部７がそれぞれ設けられている。各着脱部７は、主体部６の端部に設けた鉛直板状の縦片８と、該縦片８から主体部６の中央側に突設した横片９と、主体部６とで形成される、主体部６の中央側に開口せる側面視コ字状の差込み溝１０を有しており、各差込み溝１０における主体部６の中央側への開口は、一対の捕捉部材２の間では互いに対向する関係を有するように形成されている。具体的に本例では、上側捕捉部材２ａの差込み溝１０は主体部６の左端下部に設けられてその開口は右方を向くように形成されており、下側捕捉部材２ｂの差込み溝１０は主体部６の右端上部に設けられてその開口は左方を向くように形成されている。
【００１５】
更に本例の下側捕捉部材２ｂの着脱部７には偏心カムを用いた着脱操作部１１が設けられている。この着脱操作部１１は、横片９に設けた枢支部に対して鉛直円盤状の押え部材１２が偏心して枢支されていて、押え部材１２から突設した操作レバー１３を持って押え部材１２を偏心回転させることで押え部材１２の外周端面が差込み溝１０の上面から下方に突没するように構成されている。なお、各着脱部７の上端には外側に突出する取っ手１４が形成されている。
【００１６】
この着脱部７によって一対の捕捉部材２を一体化させるには、各捕捉部材２を上下に重ねるように左右方向から互いに近接させて、各捕捉部材２の主体部６における着脱部７側と反対側の他端部を相手側の各捕捉部材２の差込み溝１０にそれぞれ差込み、そして、操作レバー１３を持って押え部材１２を偏心回転させて、押え部材１２の外周端面を上捕捉部材２の主体部６に押し付けることで行われる。すなわち、上下に重ねた各捕捉部材２の主体部６を相手側の差込み溝１０に差し込むことによって各捕捉部材２の連結位置が決定され、押え部材１２の外周端面と下側捕捉部材２ｂの主体部６の上面とで上側捕捉部材２ａの主体部６を上下に挟持することで強固な一体化が為されるのである。ここで、上記各捕捉部材２の連結位置とは、各捕捉部材２の主体部６同士が略隙間無く積層されると共に、各捕捉部材２の桟部４が互いに交差するような位置である。
【００１７】
一方、上記一体化された一対の捕捉部材２を分離させるには、操作レバー１３を持って押え部材１２を偏心回転させて、押え部材１２の外周端面の上捕捉部材２の主体部６への押し付け状態を解除し、そして、各捕捉部材２を互いに左右に離間させることで行われるのである（矢印ａ，ｂ）。なお、このときには各捕捉部材２の主体部６の対向面同士が摺動されるようにして行われる。
【００１８】
上記構成のヘアーキャッチャー１は、一対の捕捉部材２の各桟部４同士が交差するように上下に重複して一体化された状態で、排水口に配置される。詳しくは、一対の捕捉部材２が一体化された状態では、各捕捉部材２の主体部６がその外縁同士を一致させるようにして完全に重合された平面視で円形状態にあり、これを円孔状の排水口にぴったりと嵌めるように配置する。なおこのとき、交差した一対の捕捉部材２の各桟部４の間に各スリット３が上下に連通する排水孔部１５が多数形成される。したがって、排水口に流入した排水は漏れなくヘアーキャッチャー１の上面を伝って排水孔部１５から流下されるのであるが、このとき該排水に含まれる抜け毛などのゴミは、各排水孔部１５を囲繞する交差された桟部４に絡みつくようにして効率よく捕捉されるのである。
【００１９】
そして、上記交差する桟部４にて捕捉したゴミをヘアーキャッチャー１から除去するには、上記一体化された一対の捕捉部材２を分離させて行うのであるが、一対の捕捉部材２を分離させた際には交差する各桟部４に跨って強固に絡み付いたゴミは無くなって、つまりいずれかの捕捉部材２の桟部４に絡み付くようになるから、比較的容易にゴミをヘアーキャッチャー１から除去することができるのであり、ゴミの除去作業に良好な作業性が確保されているのである。
【００２０】
ここで、ゴミが絡み付く捕捉部材２の桟部４は外周枠部５の対向部間に架設されたものであって、つまり従来例（図４）のヘアーキャッチャー１の櫛歯２３のように自由端のある形状ではないため、比較的強い強度を備えるものであり、誤って捕捉部材２を落下させた場合や、ゴミを除去する際や洗剤などを用いて掃除をした際に力を入れた場合にも、捕捉部材２を破損させる恐れを小さくできたものである。
【００２１】
また、ヘアーキャッチャー１におけるゴミの除去作業や清掃作業は排水口からヘアーキャッチャー１を取り外した状態で行われるのであるが、上記一対の捕捉部材２が一体化されて成るヘアーキャッチャー１は、従来例（図４）のヘアーキャッチャー１のようにその一部に自重で落下する部材（櫛歯部材２２）を有したものではないために取り扱いが容易であり、ゴミの除去作業や清掃作業に良好な作業性が確保されているのである。
【００２２】
また、そもそもゴミの除去作業や清掃作業は、完全に分離させて開放空間にある各捕捉部材２に対して行わせることができるのであって、従来例（図４）のヘアーキャッチャー１のようにその一部が作業を妨げてしまうこともなく、つまり支障なく上記作業を行わせることができるから、ゴミの除去作業や清掃作業に良好な作業性が確保されているのである。
【００２３】
更に言うと、本例のヘアーキャッチャー１は、各捕捉部材２の着脱部７が互いに対向して開口する差込み溝１０を有しているため、各捕捉部材２を分離させるには上記差込み溝１０の対向方向と反対側に離間させるように行われるのであり、このとき各捕捉部材２の主体部６の対向面同士が摺動するようにされていると共に、この捕捉部材２の離間方向と一方の捕捉部材２（本例では上側捕捉部材２ａ）の桟部４やスリット３の長手方向とが略一致するようにされているので、一方の捕捉部材２の桟部４に絡み付いたゴミを、他方の捕捉部材２（本例では下側捕捉部材２ｂ）の主体部６によって、該桟部４の長手方向の一端側（分離方向と反対側）に引き摺るようにして集めることができるのであり、つまり一方の捕捉部材２の桟部４に絡み付いたゴミの除去作業を容易にさせるのであって、ひいてはゴミの除去作業の作業性の向上が為されているのである。
【００２４】
なお上記実施形態では、捕捉部材２は金属製（ＳＵＳ製）であるが、摩擦の少ない（滑性を有する）樹脂で構成してもよい。これによっても、金属製（ＳＵＳ製）と同様に、水垢の付着を抑制できたり、桟部４に絡み付いたゴミの除去を簡単に行わせることができる。また、上記実施形態では、桟部４は扁平な平板形状に形成されているが、ある程度の上下厚を有する棒状等の形状に形成してもよい。また、着脱部７としては、差込み溝１０の上下幅を捕捉部材２の主体部６の上下厚と略同等にして、差込み溝１０に捕捉部材２の主体部６を圧入にすることで、一対の捕捉部材２を着脱可能にしたものを採用してもよい。
【図面の簡単な説明】
【００２５】
【図１】本発明の実施の形態の例のヘアーキャッチャーであり、（ａ）は一対の捕捉部材を上下に重ねた状態（ゴミ捕捉状態）の平面図であり、（ｂ）は一対の捕捉部材を分離させた状態（ゴミ除去状態）の平面図である。
【図２】同上のヘアーキャッチャーであり、（ａ）は一対の捕捉部材を上下に重ねた状態（ゴミ捕捉状態）の側断面図（図１（ａ）の側断面図）であり、（ｂ）は一対の捕捉部材を分離させた状態（ゴミ除去状態）の側断面図（図１（ｂ）の側断面図）である。
【図３】従来技術の例のヘアーキャッチャーであり、（ａ）は平面図であり、（ｂ）は側断面図である。
【図４】従来技術の他例のヘアーキャッチャーであり、（ａ）はゴミを補足する状態の斜視図であり、（ｂ）はゴミを除去する状態の斜視図である。
【符号の説明】
【００２６】
１  ヘアーキャッチャー
２  捕捉部材
３  スリット
４  桟部
５  外周枠部
６  主体部
７  着脱部
１１  着脱操作部
１５  排水孔部
【図１】
2009030329.tif 000003
【図２】
2009030329.tif 000004
【図３】
2009030329.tif 000005
【図４】
2009030329.tif 000006